(57)【要約】【課題】不安定レベルの光信号が各ノードで伝送されることを防止して、ＷＤＭにおける初期設定時の立ち上げ状態を改善し、伝送品質の向上を図る。【解決手段】光プリアンプ１１は、光出力レベルを一定にするＡＬＣの機能と、ゲインを一定にするＡＧＣの機能とを有し、ＡＬＣモードでゲイン設定後、ＡＧＣモードへ遷移する。光ポストアンプ１２は、ＡＧＣの機能を有する。光スイッチ部１３は、光クロスコネクト制御を行う。スルー光遮断制御部１４ａは、光プリアンプ１１がＡＬＣモードのときは、光スイッチ部１３でのスルー光を遮断するようにスイッチ設定して、不安定レベルの光信号が次段へ送信されることを停止し、光プリアンプ１１がＡＧＣモードへ遷移したときには、スルー光の遮断を解除する。光伝送媒体Ｆは、複数のノード１０ａ−１〜１０ａ−４間を接続する。【選択図】　　　　図１
2004040437.tif 000002
【特許請求の範囲】
【請求項１】
ＷＤＭの光伝送を行う光伝送システムにおいて、
光出力レベルを一定にするＡＬＣの機能と、ゲインを一定にするＡＧＣの機能とを有し、ＡＬＣモードでゲインを設定した後にＡＧＣモードへ遷移する光プリアンプと、ＡＧＣの機能を有する光ポストアンプと、光クロスコネクト制御を行う光スイッチ部と、前記光プリアンプがＡＬＣモードのときは、前記光スイッチ部でのスルー光を遮断するようにスイッチ設定して、不安定レベルの光信号が次段へ送信されることを停止し、前記光プリアンプがＡＧＣモードへ遷移したときには、前記スルー光の遮断を解除するスルー光遮断制御部と、から構成されるノードと、
複数の前記ノード間を接続する光伝送媒体と、
を有することを特徴とする光伝送システム。
【請求項２】
前記光プリアンプは、乱数を発生させて、すべてのノードで時差をもって立ち上げを開始することを特徴とする請求項１記載の光伝送システム。
【請求項３】
ＷＤＭの光伝送を行う光伝送システムにおいて、
光出力レベルを一定にするＡＬＣの機能と、ゲインを一定にするＡＧＣの機能とを有し、ＡＬＣモードでゲインを設定した後にＡＧＣモードへ遷移する光プリアンプと、ＡＧＣの機能を有する光ポストアンプと、光クロスコネクト制御を行う光スイッチ部と、各波長の光信号毎に設置した光可変減衰器と、前記光プリアンプがＡＬＣモードのときは、対応する前記光可変減衰器の減衰量を最大値に設定して、不安定レベルの光信号が次段へ送信されることを停止し、前記光プリアンプがＡＧＣモードへ遷移したときには、前記減衰量の最大値設定を解除する減衰量制御部と、から構成されるノードと、
複数の前記ノード間を接続する光伝送媒体と、
を有することを特徴とする光伝送システム。
【請求項４】
前記光プリアンプは、乱数を発生させて、すべてのノードで時差をもって立ち上げを開始することを特徴とする請求項３記載の光伝送システム。
【請求項５】
ＷＤＭの光伝送を行う光伝送システムにおいて、
光出力レベルを一定にするＡＬＣの機能と、ゲインを一定にするＡＧＣの機能とを有し、ＡＬＣモードでゲインを設定した後にＡＧＣモードへ遷移する光プリアンプと、ＡＧＣの機能を有する光ポストアンプと、光クロスコネクト制御を行う光スイッチ部と、前段ノードから立ち上げ完了情報が未受信の場合は、前記光スイッチ部でのスルー光を遮断するようにスイッチ設定して、不安定レベルの光信号が次段へ送信されることを停止し、前記光プリアンプがＡＧＣモードへ遷移し、かつ前段ノードから立ち上げ完了情報が受信された場合には、前記スルー光の遮断を解除するマスタ側スルー光遮断制御部と、前段ノードから立ち上げ完了情報を受信するまでは、擬似立ち上げ完了情報を次段ノードへ送信する擬似立ち上げ完了情報送信部と、から構成されるマスタノードと、
前記光プリアンプと、前記光ポストアンプと、前記光スイッチ部と、前記光プリアンプがＡＬＣモードのときは、前記光スイッチ部でのスルー光を遮断して、不安定レベルの光信号が次段へ送信されることを停止し、前記光プリアンプがＡＧＣモードへ遷移したときには、前記スルー光の遮断を解除するスレーブ側スルー光遮断制御部と、前記マスタノードからの前記擬似立ち上げ完了情報、または立ち上げ完了情報のいずれかを受信し、かつ自ノードの前記光プリアンプがＡＧＣモードに遷移した場合に、次段ノードへ自ノードに関する立ち上げ完了情報を送信する立ち上げ完了情報送信部と、から構成される複数のスレーブノードと、
前記マスタノードと前記スレーブノード、及び前記スレーブノード間を接続する光伝送媒体と、
を有することを特徴とする光伝送システム。
【発明の詳細な説明】
【０００１】
【発明の属する技術分野】
本発明は光伝送システムに関し、特にＷＤＭ（Ｗａｖｅｌｅｎｇｔｈ　Ｄｉｖｉｓｉｏｎ　Ｍｕｌｔｉｐｌｅｘ：波長分離多重）の光伝送を行う光伝送システムに関する。
【０００２】
【従来の技術】
光通信ネットワーク技術は、マルチメディア通信の基盤形成の核となるもので、一層のサービスの高度化、広域化が望まれている。また、近年の爆発的なインターネットの普及などで、伝送容量は増大の一途をたどっており、現状の１本の光ファイバに１つの波長の光信号を伝送するシステムでは、伝送容量が不足し、例えば、動画データのやりとりには多くの時間がかかってしまう。
【０００３】
このため、既設の光ファイバを有効活用する技術としてＷＤＭが開発されている。ＷＤＭは、波長の異なる光を多重して、１本の光ファイバで複数チャネルの信号を同時に伝送する方式である。また、ＷＤＭの光増幅の特徴として、ＡＬＣモード、ＡＧＣモードの制御が行われている。
【０００４】
ＡＬＣ（Ａｕｔｏｍａｔｉｃ　Ｌｅｖｅｌ　Ｃｏｎｔｒｏｌ）は、光アンプの出力レベルを、入力が変動した場合でも一定にする制御である。具体的には、多重波長数をｎ、一波あたりの目標出力レベルをＰｎとした場合に、光アンプへの光入力レベルによらず、光アンプのトータル出力Ｐｔが一定（＝Ｐｎ×ｎ）になるように、光アンプのゲイン（光入力レベルと光出力レベルの比）を設定する。
【０００５】
ＡＧＣ（Ａｕｔｏｍａｔｉｃ　Ｇａｉｎ　Ｃｏｎｔｒｏｌ）は、光アンプのゲインを一定に保つ制御である。したがって、ＡＧＣモードのときには、光アンプの入力レベルが変動した場合、ゲインが一定となるように制御されているために、出力レベルは入力レベルに追随して変動することになる。ＷＤＭ伝送では、このようなＡＬＣモードとＡＧＣモードとを併用することで円滑な光増幅制御を行っている。
【０００６】
一方、ＷＤＭのノード内の光アンプには、光プリアンプと光ポストアンプがある。光プリアンプは、前段ノードから送信された多波長の光信号を受信して増幅するための多波長光受信アンプであり、光ポストアンプは、後段ノードへ送信するために内部で処理した多波長の光信号を増幅するための多波長光送信アンプである。
【０００７】
通常、光プリアンプは、ＡＬＣとＡＧＣの両方の機能を有し、光ポストアンプは、ＡＧＣ機能のみ有する。また、光プリアンプでは、システム立ち上げまたはアンプ立ち上げなどの初期設定時には、ＡＬＣモードから開始してゲインを設定し、その後にＡＧＣモードに遷移して（ゲイン設定後にＡＧＣへ遷移）、運用状態となる。光ポストアンプは、初期設定時、運用時共にＡＧＣモードである（光ポストアンプのゲインはあらかじめ設定されている）。
【０００８】
【発明が解決しようとする課題】
上述したように、光プリアンプでは、初期設定時のＡＬＣモードにおいて、光出力レベルを一定にするために、光入力レベルに応じてゲインを設定し、その後、設定されたゲインを、ＡＧＣモードで一定に保つような制御が行われる。このため、初期設定時には、光プリアンプへ入力する光入力レベルが安定していないと、正確なゲインが設定できない。
【０００９】
ここで、リング状のＷＤＭシステム（ＷＤＭネットワークのコンフィギュレーションとして、リングネットワークは広く用いられている）でＡＬＣモードを適用した場合の問題点について説明する。
【００１０】
ノード内の光プリアンプへ入力する光入力レベルが、初期設定時に安定していないと、正確なゲインが設定できず、不安定なレベルで増幅されることになる。そして、このような状態の光信号が隣接ノードへ伝送されると（すなわち、光プリアンプがＡＧＣモードに遷移する前の、ゲインが正しく定まっていないＡＬＣモードの段階で増幅された光信号を隣接ノードへ伝送すると）、不安定レベルの光信号がリング内の各ノードを循環することになり、システムの運用効率の低下を引き起こすといった問題があった。
【００１１】
図１１は不安定レベルの光信号が循環する様子を説明するための図である。ＷＤＭ伝送を行うノード３０１〜３０４は、ノード間が光ファイバケーブルで接続されて、リング構成をとっている。また、ノード３０１〜３０４それぞれは、光プリアンプ３０１ａ〜３０４ａ、光ポストアンプ３０１ｂ〜３０４ｂを含む（光スイッチ部等のその他構成要素の図示は省略する）。
【００１２】
初期設定時、ノード３０４へＡｄｄされた光信号が光ポストアンプ３０４ｂで増幅され、ノード３０１の光プリアンプ３０１ａに入力される。光プリアンプ３０１ａがＡＬＣモードであると、光プリアンプ３０１ａからは、不安定レベルの光信号が出力される状態になっている。そして、この光信号が光ポストアンプ３０１ｂへ入力すると、ノード３０１からノード３０２へ、不安定レベルの光信号が伝送されてしまう。
【００１３】
このように、光プリアンプ３０１ａでゲインが設定されていない状態の不安定レベルの光信号を次段へ伝送してしまうと、その光信号を受信するノード３０２の光プリアンプ３０２ａにおいても、正確なゲインが計算できないことになる。
【００１４】
このようなことが各ノードで繰り返されると、結果的に不安定レベルの光信号がリング内を循環することになり、ノード内の光プリアンプ及び光ポストアンプの入出力レベルが安定せず、発振現象が生じてしまう。このため、運用効率が低下し、即時にサービスを開始することができないといった問題があった。
【００１５】
本発明はこのような点に鑑みてなされたものであり、不安定レベルの光信号が各ノードで伝送されることを防止して、ＷＤＭにおける初期設定時の立ち上げ状態を改善し、伝送品質の向上を図った光伝送システムを提供することを目的とする。
【００１６】
【課題を解決するための手段】
本発明では上記課題を解決するために、図１に示すような、ＷＤＭの光伝送を行う光伝送システム１ａにおいて、光出力レベルを一定にするＡＬＣの機能と、ゲインを一定にするＡＧＣの機能とを有し、ＡＬＣモードでゲインを設定した後にＡＧＣモードへ遷移する光プリアンプ１１と、ＡＧＣの機能を有する光ポストアンプ１２と、光クロスコネクト制御を行う光スイッチ部１３と、光プリアンプ１１がＡＬＣモードのときは、光スイッチ部１３でのスルー光を遮断するようにスイッチ設定して、不安定レベルの光信号が次段へ送信されることを停止し、光プリアンプ１１がＡＧＣモードへ遷移したときには、スルー光の遮断を解除するスルー光遮断制御部１４ａと、から構成されるノード１０ａ−１〜１０ａ−４と、複数のノード１０ａ−１〜１０ａ−４間を接続する光伝送媒体Ｆと、を有することを特徴とする光伝送システム１ａが提供される。
【００１７】
ここで、光プリアンプ１１は、光出力レベルを一定にするＡＬＣの機能と、ゲインを一定にするＡＧＣの機能とを有し、ＡＬＣモードでゲインを設定した後にＡＧＣモードへ遷移する。光ポストアンプ１２は、ＡＧＣの機能を有する。光スイッチ部１３は、光クロスコネクト制御を行う。スルー光遮断制御部１４ａは、光プリアンプ１１がＡＬＣモードのときは、光スイッチ部１３でのスルー光を遮断するようにスイッチ設定して、不安定レベルの光信号が次段へ送信されることを停止し、光プリアンプ１１がＡＧＣモードへ遷移したときには、スルー光の遮断を解除する。光伝送媒体Ｆは、複数のノード１０ａ−１〜１０ａ−４間を接続する。
【００１８】
【発明の実施の形態】
以下、本発明の実施の形態を図面を参照して説明する。図１は本発明の光伝送システムの原理図である。光伝送システム１ａは、ＷＤＭ伝送を行うノード（光伝送装置）１０ａ−１〜１０ａ−４（総称する場合はノード１０ａ）が、自回線と対回線の光伝送媒体（光ファイバケーブル）Ｆで接続されたリングネットワークである（本発明のシステムのノード数はすべて任意）。
【００１９】
ノード１０ａは、光プリアンプ１１、光ポストアンプ１２、光スイッチ部１３、スルー光遮断制御部１４ａから構成される（片方向の構成のみ示す）。光プリアンプ１１は、光出力レベルを一定にするＡＬＣの機能と、ゲインを一定にするＡＧＣの機能とを有する多波長光アンプであり、初期設定時にはＡＬＣモードでゲインを設定し、その後ＡＧＣモードへ遷移して運用状態に入る。
【００２０】
光ポストアンプ１２は、ＡＧＣの機能を有する多波長光アンプであり、初期設定時及び運用時共にＡＧＣモードで動作する（なお、光プリアンプ１１及び光ポストアンプ１２を立ち上げるためには何らかの入力光が必要である）。光スイッチ部１３は、光クロスコネクト制御を行う。
【００２１】
スルー光遮断制御部１４ａは、光プリアンプ１１がＡＬＣモードのときは、光プリアンプ１１にもとづく、光スイッチ部１３でのスルー（Ｔｈｒｕ）光を遮断するようにスイッチ設定して、不安定レベルの光信号が次段のノードへ送信されることを停止する。また、スルー光遮断制御部１４ａは、光プリアンプ１１がＡＧＣモードへ遷移したときには、光スイッチ部１３に対して、スルー光の遮断設定を解除する（運用状態時の波長設定にする）。
【００２２】
図２は本発明の光伝送システムの原理図である。光伝送システム１ｂは、ＷＤＭ伝送を行うノード（光伝送装置）１０ｂ−１〜１０ｂ−４（総称する場合はノード１０ｂ）が、自回線と対回線の光ファイバケーブルＦで接続されたリングネットワークである。
【００２３】
ノード１０ｂは、光プリアンプ１１、光ポストアンプ１２、光スイッチ部１３、減衰量制御部１４ｂ、光可変減衰器１５から構成される（片方向の構成のみ示す）。光プリアンプ１１、光ポストアンプ１２、光スイッチ部１３は、図１と同様なので説明は省略する。
【００２４】
光可変減衰器１５は、各波長の光信号毎に、光スイッチ部１３後段に設置され、受信した光信号のレベルの調整を行う。減衰量制御部１４ｂは、光プリアンプ１１がＡＬＣモードのときは、光プリアンプ１１からの信号を受信する光可変減衰器１５の減衰量を最大値に設定して、不安定レベルの光信号が次段ノードへ送信されることを停止する。また、減衰量制御部１４ｂは、光プリアンプ１１がＡＧＣモードへ遷移したときには、光可変減衰器１５に対して、減衰量の最大値設定を解除する（運用状態時の減衰量設定にする）。
【００２５】
なお、上記で説明した図１、図２のノード１０ａ、１０ｂのそれぞれの機能は、実際には１台のノードに含まれる。そして、光スイッチ部１３に対するスルー光の遮断制御、または光可変減衰器１５に対する減衰量制御の少なくとも１つの制御を行うことで、不安定レベルの光信号が次段ノードへ送信されることを停止する。
【００２６】
次にノード１０ａ、１０ｂの両方の機能を含むノードから構成される本発明の光伝送システムの構成及び動作について詳しく説明する。図３は本発明の光伝送システムの構成を示す図である。光伝送システム１は、ＷＤＭ伝送を行うノード１０−１〜１０−４（総称する場合はノード１０）を有し、ノード間が光ファイバケーブルＦで接続されて、リング構成をとっている。
【００２７】
また、ノード１０−１〜１０−４それぞれには、例えば、ＳＯＮＥＴ／ＳＤＨの複数の伝送装置１０−１ａ〜１０−４ａが接続して、ＯＡＤＭ（Ｏｐｔｉｃａｌ　Ａｄｄ　Ｄｒｏｐ　Ｍｕｌｔｉｐｌｅｘ）の制御が行われる。
【００２８】
すなわち、ノード１０−１〜１０−４それぞれは、伝送装置１０−１ａ〜１０−４ａでＡｄｄされた信号を光多重して、１本の光ファイバケーブルＦにまとめてリング内を伝送させたり、リング内を伝送していた信号の光分離を行って、伝送装置１０−１ａ〜１０−４ａへＤｒｏｐしたりする。
【００２９】
図４はノード１０の構成を示す図である。ノード１０は、光プリアンプ１１、光ポストアンプ１２、光スイッチ部１３、光信号制御部１４、ＶＯＡ（ＶａｒｉａｂｌｅＯｐｔｉｃａｌ　Ａｔｔｅｎｕａｔｏｒ：光可変減衰器）１５−１〜１５−ｎ、ＡＷＧ（Ａｒｒａｙ　Ｗａｖｅ−ｇｕｉｄｅ　Ｇｒａｔｉｎｇ：アレイ導波路型光合分波器）１６ａ、１６ｂ、ＯＳＣ（Ｏｐｔｉｃａｌ　Ｓｕｐｅｒｖｉｓｏｒｙ　Ｃｈａｎｎｅｌ）部１７、カプラＣ１、Ｃ２から構成される。図では片方向の構成要素のみ示している。
【００３０】
光スイッチ部１３は、例えば、ＭＥＭＳ（Ｍｉｃｒｏ−Ｅｌｅｃｔｒｏ−Ｍｅｃｈａｎｉｃａｌ　Ｓｙｓｔｅｍｓ）型のスイッチが使用される。ＭＥＭＳは、微小ミラーを集積したスイッチで、入射光を微小ミラーで反射させて光路をスイッチングするものである。また、スイッチモジュール内には、微小ミラーを操作するための演算を行うＤＳＰ（Ｄｉｇｉｔａｌ　Ｓｉｇｎａｌ　Ｐｒｏｃｅｓｓｏｒ）が設けられている。
【００３１】
光信号制御部１４は、ノード１０の全体制御を行うネットワーク・エレメント・マネージメント（Ｎｅｔｗｏｒｋ　Ｅｌｅｍｅｎｔ　Ｍａｎａｇｅｍｅｎｔ）である。また、上述したスルー光遮断制御部１４ａ及び減衰量制御部１４ｂの機能を含み、スルー光遮断制御または減衰量制御の少なくとも一方の制御を行って、不安定レベルの光信号が次段ノードへ送信されることを停止する。以降では、光信号制御部１４をＮＥＭ１４と呼ぶ。
【００３２】
ＡＷＧ１６ａ、１６ｂは、光信号の合分波を行う波長合分波素子であり、ＡＷＧ１６ａは合波処理を、ＡＷＧ１６ａは分波処理を行う。ＯＳＣ部１７は、ＯＳＣ信号の送受信処理を行う（ＷＤＭ通信では、光主信号の他に、１ＭＨｚ〜１５０ＭＨｚ程度の光の制御信号があり、これをＯＳＣと呼ぶ）。
【００３３】
次に波長多重光信号の処理の流れについて説明する。光プリアンプ１１は、光ファイバケーブルＦにより、上流の前段ノードから送信された光信号を受信して増幅する。ＡＷＧ１６ａは、増幅された光信号を波長毎に分波する。光スイッチ部１３は、分波された光信号を経路選択（スルー／Ａｄｄ／Ｄｒｏｐ）をする。なお、光スイッチ部１３には、波長設定情報（どの波長をどのような経路選択にすべきかが記された情報）が、あらかじめＮＥＭ１４からプロビジョニング設定されている。
【００３４】
ＶＯＡ１５−１〜１５−ｎは、各波長の光レベルの調整を行う。ＡＷＧ１６ｂは、光レベル調整後の光信号を合波する。光ポストアンプ１２は、合波された光信号を増幅して、光ファイバケーブルＦにより下流の次段ノードへ伝送する。
【００３５】
また、ＯＳＣ部１７は、前段ノードから送信されたＯＳＣ信号を、カプラＣ１を介して受信し、ＯＳＣ信号に含まれる監視情報等を光／電気変換した後、ＮＥＭ１４へ通知する。また、ノード１０内部に関する監視情報をＮＥＭ１４から受信して電気／光変換した後、ＯＳＣ信号に重畳し、後段ノードへカプラＣ２を介して送信する。
【００３６】
図５は光スイッチ部１３のスイッチ状態を示す図である。光スイッチ部１３は、入出力ポートが２×２を基準にしたスイッチで構成される。光の経路としては、スルー（Ｔｈｒｕ）、Ａｄｄ、Ｄｒｏｐの３つの経路があるが、スイッチ切り替えの動作単位は、スルー設定、Ａｄｄ／Ｄｒｏｐ設定の２つで行う。すなわち、光スイッチ部１３は、スルー設定によりスルーのスイッチ状態となり、Ａｄｄ／Ｄｒｏｐ設定によりＡｄｄ及びＤｒｏｐ両方のスイッチ状態となる。
【００３７】
次にスルー光遮断制御の動作について説明する。図６はスルー光遮断制御の動作を示すフローチャートである。
〔Ｓ１〕ＮＥＭ１４は、自ノードの光プリアンプ１１のＡＬＣ／ＡＧＣ情報（現在のアンプ動作モードがＡＬＣモードかＡＧＣモードかを示す情報）を光プリアンプ１１から取得する。
〔Ｓ２〕ＡＬＣモードの場合はステップＳ３へ、ＡＧＣモードの場合はステップＳ５へ行く。
〔Ｓ３〕ＮＥＭ１４は、光スイッチ部１３（具体的には光スイッチ部１３のＤＳＰ）へスルー光を遮断するようにスイッチ設定の指示を与える。すなわち、光スイッチ部１３をＡｄｄ／Ｄｒｏｐ設定にして、光プリアンプ１１からの光信号をＤｒｏｐさせる。
〔Ｓ４〕Ａｄｄ光は、光スイッチ部１３を介して光ポストアンプ１２へ送信され、光ポストアンプ１２は、Ａｄｄ光を増幅して出力する。
〔Ｓ５〕ＮＥＭ１４は、光スイッチ部１３でのスルー光の遮断設定を解除する。
〔Ｓ６〕光スイッチ部１３は、プロビジョニング時の波長設定にもとづく光クロスコネクト動作を行う。
【００３８】
図７はスルー光遮断制御時のリングネットワークにおける光の流れを示す図である。ノード１０−１〜１０−４内の構成要素は、動作説明に必要なものだけを示している。ノード１０−１に対し、光プリアンプ１１−１がＡＬＣモードのとき、光プリアンプ１１−１からの出力光は、光スイッチ部１３−１でＤｒｏｐされる。
【００３９】
また、Ａｄｄ光ａ１は、光スイッチ部１３−１を介して光ポストアンプ１２−１へ送信される。光ポストアンプ１２−１は、このＡｄｄ光ａ１で立ち上げ処理が行われ、設定済みのゲインでＡｄｄ光ａ１を増幅して、ノード１０−２へ増幅されたＡｄｄ光ａ１を送信する。
【００４０】
ノード１０−１でこのような制御が行われることにより、スパンＳｐ１には、不安定レベルの光信号が流れることはない。さらに、ノード１０−２内の光プリアンプ１１−２は、安定したレベルのＡｄｄ光ａ１で、ＡＬＣ時のゲイン計算を行うことができる。
【００４１】
一方、ノード１０−２に対し、光プリアンプ１１−２がＡＬＣモードのとき、光プリアンプ１１−２からの出力光は、光スイッチ部１３−２でＤｒｏｐされる。また、Ａｄｄ光ａ２は、光スイッチ部１３−２を介して光ポストアンプ１２−２へ送信される。
【００４２】
光ポストアンプ１２−２は、このＡｄｄ光ａ２で立ち上げ処理が行われ、設定済みのゲインでＡｄｄ光ａ２を増幅して、ノード１０−３へ増幅されたＡｄｄ光ａ２を送信する。ノード１０−２でこのような制御が行われることにより、スパンＳｐ２には、不安定レベルの光信号が流れることはない。さらに、ノード１０−３内の光プリアンプ１１−３は、安定したレベルのＡｄｄ光ａ２で、ＡＬＣ時のゲイン計算を行うことができる。
【００４３】
同様な制御がノード１０−３、１０−４でも行われるので、スパンＳｐ３、Ｓｐ４に対しても、不安定レベルの光信号が流れることはなく、隣接ノードへ悪影響を及ぼすことがない。さらに、ノード１０−４内の光プリアンプ１１−４は、安定したレベルのＡｄｄ光ａ３で、ＡＬＣ時のゲイン計算を行うことができ、ノード１０−１内の光プリアンプ１１−１も、安定したレベルのＡｄｄ光ａ４で、ＡＬＣ時のゲイン計算を行うことができる。
【００４４】
そして、ノード１０−１〜１０−４の光プリアンプ１１−１〜１１−４がＡＧＣモードへ遷移した場合には、光スイッチ部１３−１〜１３−４はプロビジョニング時の波長設定のクロスコネクトを行う。この状態のとき、ノード１０−１〜１０−４内の光アンプは、すべて立ち上がった状態となる。
【００４５】
このようにして、リングネットワークの初期設定時、光アンプがすべて立ち上がるまでの間に、不安定レベルの光信号がスパン間に流れるといった現象は全くなくなる。なお、上記で説明したスルー光遮断制御は、各ノード個別に独立して行われるものである。
【００４６】
以上説明したように、自ノードの光プリアンプ１１がＡＬＣモードのときは、光プリアンプ１１から出力されている不安定レベルの光信号を光スイッチ部１３で遮断して、次段のノードへ送信されることを停止する。また、この場合は、自ノードのＡｄｄ光が光ポストアンプ１２へ流れることになるので、光ポストアンプ１２は、このＡｄｄ光で立ち上がることになる。
【００４７】
そして、光プリアンプ１１がＡＧＣモードに遷移した場合には、光プリアンプ１１が立ち上げ完了となるので、ＮＥＭ１４は、光スイッチ部１３に対してスルー光の遮断制御を解除する。これにより、不安定レベルの光信号が次段ノードへ送信されることなく、効率よく初期設定時の立ち上げ動作を行うことが可能になる。
【００４８】
なお、上記の説明では、ＮＥＭ１４が光プリアンプ１１の動作状態を判断して、光スイッチ部１３へスルー光遮断制御のスイッチ設定指示を与える構成としたが、光スイッチ部１３のモジュール内に含まれるＤＳＰが光プリアンプ１１の動作状態を判断して、スイッチ操作を行う構成としてもよい。また、光スイッチ部１３をＭＥＭＳとして説明したが、平面導波路型のスイッチを用いてもよい。
【００４９】
次に減衰量制御の動作について説明する。図８は減衰量制御の動作を示すフローチャートである。
〔Ｓ１１〕ＮＥＭ１４は、自ノードの光プリアンプ１１のＡＬＣ／ＡＧＣ情報を光プリアンプ１１から取得する。
〔Ｓ１２〕ＡＬＣモードの場合はステップＳ１３へ、ＡＧＣモードの場合はステップＳ１５へ行く。
〔Ｓ１３〕ＮＥＭ１４は、光スイッチ部１３から出力されるスルー光を受信するＶＯＡ（ＶＯＡ１５ｔとする）の減衰量を最大値に設定する。
〔Ｓ１４〕Ａｄｄ光は、光スイッチ部１３及び減衰量の最大値設定がされていないＶＯＡ（ＶＯＡ１５ａとする）を介して、光ポストアンプ１２へ送信され、光ポストアンプ１２は、Ａｄｄ光を増幅して出力する。
〔Ｓ１５〕ＮＥＭ１４は、ＶＯＡ１５ｔに対して、減衰量の最大値設定を解除する。
〔Ｓ１６〕ＶＯＡ１５ｔは、通常の減衰量設定にもとづく光レベル調整を行う。
【００５０】
図９は減衰量制御時のリングネットワークにおける光の流れを示す図である。ノード１０−１〜１０−４内の構成要素は、動作説明に必要なものだけを示している。ノード１０−１に対し、光プリアンプ１１−１がＡＬＣモードのとき、光プリアンプ１１−１からの出力光は、光スイッチ部１３−１を介してＶＯＡ１５ｔ−１で受信され、最大に減衰される（ここで遮断される）。
【００５１】
また、Ａｄｄ光ａ１は、光スイッチ部１３−１を介してＶＯＡ１５ａ−１へ送信される。ＶＯＡ１５ａ−１は、通常の光レベル調整を行って、Ａｄｄ光ａ１を出力する。Ａｄｄ光ａ１は、ＡＷＧ１６ｂ−１を介して光ポストアンプ１２−１へ送信される。光ポストアンプ１２−１は、このＡｄｄ光ａ１で立ち上げ処理が行われ、設定済みのゲインでＡｄｄ光ａ１を増幅して、ノード１０−２へ増幅されたＡｄｄ光ａ１を送信する。
【００５２】
ノード１０−１でこのような制御が行われることにより、スパンＳｐ１には、不安定レベルの光信号が流れることはない。さらに、ノード１０−２内の光プリアンプ１１−２は、安定したレベルのＡｄｄ光ａ１で、ＡＬＣ時のゲイン計算を行うことができる。
【００５３】
一方、ノード１０−２に対し、光プリアンプ１１−２がＡＬＣモードのとき、光プリアンプ１１−２からの出力光は、光スイッチ部１３−２を介してＶＯＡ１５ｔ−２で受信され、最大に減衰される（ここで遮断される）。
【００５４】
また、Ａｄｄ光ａ２は、光スイッチ部１３−２を介してＶＯＡ１５ａ−２へ送信される。ＶＯＡ１５ａ−２は、通常の光レベル調整を行って、Ａｄｄ光ａ２を出力する。Ａｄｄ光ａ２は、ＡＷＧ１６ｂ−２を介して光ポストアンプ１２−２へ送信される。
【００５５】
光ポストアンプ１２−２は、このＡｄｄ光ａ２で立ち上げ処理が行われ、設定済みのゲインでＡｄｄ光ａ２を増幅して、ノード１０−３へ増幅されたＡｄｄ光ａ２を送信する。ノード１０−２でこのような制御が行われることにより、スパンＳｐ２には、不安定レベルの光信号が流れることはない。さらに、ノード１０−３内の光プリアンプ１１−３は、安定したレベルのＡｄｄ光ａ２で、ＡＬＣ時のゲイン計算を行うことができる。
【００５６】
同様な制御がノード１０−３、１０−４でも行われるので、スパンＳｐ３、Ｓｐ４には不安定レベルの光信号が流れることはなく、隣接ノードへ悪影響を及ぼすことがない。さらに、ノード１０−４内の光プリアンプ１１−４は、安定したレベルのＡｄｄ光ａ３で、ＡＬＣ時のゲイン計算を行うことができ、ノード１０−１内の光プリアンプ１１−１は、安定したレベルのＡｄｄ光ａ４で、ＡＬＣ時のゲイン計算を行うことができる。
【００５７】
そして、ノード１０−１〜１０−４の光プリアンプ１１−１〜１１−４がＡＧＣモードへ遷移した場合には、ＶＯＡ１５ｔ−１〜１５ｔ−４は通常の光レベル調整を行う。この状態で、ノード１０−１〜１０−４内の光アンプは、すべて立ち上がった状態となる。
【００５８】
このように、リングネットワークの初期設定時、光アンプがすべて立ち上がるまでの間に、不安定レベルの光信号がスパン間に流れるといった現象は全くなくなる。なお、上記で説明した減衰量制御は、各ノード個別に独立して行われるものである。
【００５９】
以上説明したように、自ノードの光プリアンプ１１がＡＬＣモードのときは、光プリアンプ１１から出力されている不安定レベルの光信号を受信するＶＯＡ１５ｔが減衰量を最大値にして遮断し、次段のノードへ送信されることを停止する。そして、光プリアンプ１１がＡＧＣモードに遷移した場合には、ＮＥＭ１４は、ＶＯＡ１５ｔに対して減衰量の最大値設定を解除する。これにより、不安定レベルの光信号が次段ノードへ送信されることなく、効率よく初期設定時の立ち上げ動作を行うことが可能になる。
【００６０】
次にリングネットワークのノードをマスタノードとスレーブノードに分けて、スルー光遮断制御を行う場合の本発明の光伝送システムについて説明する。図１０は光伝送システムの動作を説明するための図である。図中の点線矢印はＯＳＣ信号を示している。
【００６１】
ノード１０−１をマスタとし（マスタノード１０−１とする）、ノード１０−２〜１０−４をスレーブとする（スレーブノード１０−２〜１０−４とする）。また、マスタノード１０−１とスレーブノード１０−２〜１０−４内の構成要素は、動作説明に必要なものだけを示している。
【００６２】
また、ＮＥＭ１４−１は、マスタ側スルー光遮断制御部の機能を持ち、ＯＳＣ部１７−１は、擬似立ち上げ完了情報送信部の機能を持つ。さらに、ＮＥＭ１４−２〜１４−４は、スレーブ側スルー光遮断制御部の機能を持ち、ＯＳＣ部１７−２〜１７−４は、立ち上げ完了情報送信部の機能を持つ。
〔Ｓ２１〕マスタノード１０−１に対し、ＮＥＭ１４−１は、光スイッチ部１３−１にスルー光遮断の指示を与える。そして、ＮＥＭ１４−１は、擬似立ち上げ完了情報Ｄ１をＯＳＣ部１７−１へ通知し、ＯＳＣ部１７−１は、擬似立ち上げ完了情報Ｄ１をＯＳＣ信号（ＯＳＣ１と呼ぶ）によりスレーブノード１０−２へ送信する。
【００６３】
ここで、擬似立ち上げ完了情報とは、光プリアンプ１１−２が擬似的に立ち上げが完了したことを示す情報である。すなわち、光プリアンプ１１−２は、実際にはＡＧＣモードになって立ち上げが完了していないが、ＡＧＣモードに遷移したとみなした偽情報である。
【００６４】
なお、擬似立ち上げ完了情報は、前段のスレーブノード１０−４から送信される立ち上げ完了情報を受信するまで、スレーブノード１０−２へ送信する。ここで、立ち上げ完了情報とは、スレーブノード１０−２〜１０−４において、それぞれの光プリアンプ１１−２〜１１−４が、立ち上げが完了（ＡＧＣモードへ遷移）した旨を通知するための情報である。
〔Ｓ２２〕スレーブノード１０−２に対し、図６、７で上述したようなスルー光遮断制御が行われる。そして、光プリアンプ１１−２が立ち上げ完了となると、ＮＥＭ１４−２は、立ち上げ完了情報Ｄ２をＯＳＣ部１７−２へ通知する。
【００６５】
また、ＯＳＣ部１７−２では、マスタノード１０−１からのＯＳＣ１と、自ノードの立ち上げ完了情報Ｄ２の両方を受信した場合に、立ち上げ完了情報Ｄ２をＯＳＣ信号（ＯＳＣ２と呼ぶ）によりスレーブノード１０−３へ送信する。
〔Ｓ２３〕スレーブノード１０−３に対し、図６、７で上述したようなスルー光遮断制御が行われる。そして、光プリアンプ１１−３が立ち上げ完了となると、ＮＥＭ１４−３は、立ち上げ完了情報Ｄ３をＯＳＣ部１７−３へ通知する。
【００６６】
また、ＯＳＣ部１７−３では、スレーブノード１０−２からのＯＳＣ２と、自ノードの立ち上げ完了情報Ｄ３の両方を受信した場合に、立ち上げ完了情報Ｄ３をＯＳＣ信号（ＯＳＣ３と呼ぶ）によりスレーブノード１０−４へ送信する。
〔Ｓ２４〕スレーブノード１０−４に対し、図６、７で上述したようなスルー光遮断制御が行われる。そして、光プリアンプ１１−４が立ち上げ完了となると、ＮＥＭ１４−４は、立ち上げ完了情報Ｄ４をＯＳＣ部１７−４へ通知する。
【００６７】
また、ＯＳＣ部１７−４では、スレーブノード１０−３からのＯＳＣ３と、自ノードの立ち上げ完了情報Ｄ４の両方を受信した場合に、立ち上げ完了情報Ｄ４をＯＳＣ信号（ＯＳＣ４と呼ぶ）によりマスタノード１０−１へ送信する。
〔Ｓ２５〕マスタノード１０−１に対し、ＯＳＣ部１７−１はＯＳＣ４を受信することで、ＮＥＭ１４−１は、リングネットワーク上のすべてのスレーブノード１０−２〜１０−４の光プリアンプ１１−２〜１１−４が立ち上がったことを認識する（したがって、光ポストアンプ１２−２〜１２−４もすべて立ち上がっている）。
【００６８】
そして、光プリアンプ１１−１がＡＧＣモードへ遷移した場合には、ＮＥＭ１４−１は、光スイッチ部１３−１に対してスルー光遮断を解除し、かつＯＳＣ１の送信も停止する。
【００６９】
このように、スレーブノード１０−２〜１０−４内の光アンプがすべて立ち上がるまで、マスタノード１０−１では、光プリアンプ１１−１のスルー光を遮断することにより、リングネットワークは擬似的なオープンリング構成となり、より確実にリングネットワークの立ち上げ時の発振現象を防止することが可能になる。
【００７０】
なお、上記のステップＳ２２〜Ｓ２４でのスレーブノード１０−２〜１０−４におけるスルー光遮断制御は、独立に行われるものである。また、図１０のシステムでは、スルー光遮断制御を適用した場合について説明したが、減衰量設定制御を適用してもよい。
【００７１】
次に光プリアンプ１１に乱数を発生させて、すべてのノードで立ち上げ開始時間が異なるように設定した場合について説明する。光プリアンプ１１内のファームウェアに乱数を発生させる機能を実装し、リングネットワークの一斉瞬断、または各ノードのＰｏｗｅｒ−ＯＮに対して、各ノードの光プリアンプ１１で立ち上げ開始時間に時差を持たせるようにする。
【００７２】
これにより、リングネットワーク内の光プリアンプ１１が一斉にＰｏｗｅｒ−ＯＮされたような場合でも、乱数による立ち上げ開始時間が異なるため、時差をもって光プリアンプ１１それぞれが立ち上げを実行していくことになる。
【００７３】
このような機能をさらに付加すれば、より確実にリングネットワークの立ち上げ時の発振現象を防止することが可能になる。なお、乱数発生条件としては、光プリアンプ１１のシリアルナンバーを使用すれば、ネットワーク内で唯一の値をとることができる。
【００７４】
以上説明したように、本発明によれば、リングネットワークの各ノードの光アンプ立ち上げ時に、不安定な光信号が放出されることがないので発振現象を防止することができ、高品質に立ち上げ処理を行うことが可能になる。また、各ノードが独立に立ち上げ可能なので、リングネットワーク上の全ノードに対するトータルの立ち上げ時間が短縮され、早期にサービスを実行することが可能になる。さらに、あらたにノードを追加するような場合でも、追加ノードに隣接しているノード以外でサービスを行っている波長に対して悪影響を与えることがない。
【００７５】
なお、上記の説明では、リングネットワークに本発明を適用した場合について説明したが、Ｐｏｉｎｔ　ｔｏ　ｐｏｉｎｔ、Ｌｉｎｅａｒといった構成のネットワークに対しても適用可能である。
【００７６】
（付記１）　ＷＤＭの光伝送を行う光伝送システムにおいて、
光出力レベルを一定にするＡＬＣの機能と、ゲインを一定にするＡＧＣの機能とを有し、ＡＬＣモードでゲインを設定した後にＡＧＣモードへ遷移する光プリアンプと、ＡＧＣの機能を有する光ポストアンプと、光クロスコネクト制御を行う光スイッチ部と、前記光プリアンプがＡＬＣモードのときは、前記光スイッチ部でのスルー光を遮断するようにスイッチ設定して、不安定レベルの光信号が次段へ送信されることを停止し、前記光プリアンプがＡＧＣモードへ遷移したときには、前記スルー光の遮断を解除するスルー光遮断制御部と、から構成されるノードと、
複数の前記ノード間を接続する光伝送媒体と、
を有することを特徴とする光伝送システム。
【００７７】
（付記２）　前記光プリアンプは、乱数を発生させて、すべてのノードで時差をもって立ち上げを開始することを特徴とする付記１記載の光伝送システム。
（付記３）　ＷＤＭの光伝送を行う光伝送装置において、
光出力レベルを一定にするＡＬＣの機能と、ゲインを一定にするＡＧＣの機能とを有し、ＡＬＣモードでゲインを設定した後にＡＧＣモードへ遷移する光プリアンプと、
ＡＧＣの機能を有する光ポストアンプと、
光クロスコネクト制御を行う光スイッチ部と、
前記光プリアンプがＡＬＣモードのときは、前記光スイッチ部でのスルー光を遮断するようにスイッチ設定して、不安定レベルの光信号が次段へ送信されることを停止し、前記光プリアンプがＡＧＣモードへ遷移したときには、前記スルー光の遮断を解除するスルー光遮断制御部と、
を有することを特徴とする光伝送装置。
【００７８】
（付記４）　ＷＤＭの光伝送を行う光伝送システムにおいて、
光出力レベルを一定にするＡＬＣの機能と、ゲインを一定にするＡＧＣの機能とを有し、ＡＬＣモードでゲインを設定した後にＡＧＣモードへ遷移する光プリアンプと、ＡＧＣの機能を有する光ポストアンプと、光クロスコネクト制御を行う光スイッチ部と、各波長の光信号毎に設置した光可変減衰器と、前記光プリアンプがＡＬＣモードのときは、対応する前記光可変減衰器の減衰量を最大値に設定して、不安定レベルの光信号が次段へ送信されることを停止し、前記光プリアンプがＡＧＣモードへ遷移したときには、前記減衰量の最大値設定を解除する減衰量制御部と、から構成されるノードと、
複数の前記ノード間を接続する光伝送媒体と、
を有することを特徴とする光伝送システム。
【００７９】
（付記５）　前記光プリアンプは、乱数を発生させて、すべてのノードで時差をもって立ち上げを開始することを特徴とする付記４記載の光伝送システム。
（付記６）　ＷＤＭの光伝送を行う光伝送装置において、
光出力レベルを一定にするＡＬＣの機能と、ゲインを一定にするＡＧＣの機能とを有し、ＡＬＣモードでゲインを設定した後にＡＧＣモードへ遷移する光プリアンプと、
ＡＧＣの機能を有する光ポストアンプと、
光クロスコネクト制御を行う光スイッチ部と、
各波長の光信号毎に設置した光可変減衰器と、
前記光プリアンプがＡＬＣモードのときは、対応する前記光可変減衰器の減衰量を最大値に設定して、不安定レベルの光信号が次段へ送信されることを停止し、前記光プリアンプがＡＧＣモードへ遷移したときには、前記減衰量の最大値設定を解除する減衰量制御部と、
を有することを特徴とする光伝送装置。
【００８０】
（付記７）　ＷＤＭの光伝送を行う光伝送システムにおいて、
光出力レベルを一定にするＡＬＣの機能と、ゲインを一定にするＡＧＣの機能とを有し、ＡＬＣモードでゲインを設定した後にＡＧＣモードへ遷移する光プリアンプと、ＡＧＣの機能を有する光ポストアンプと、光クロスコネクト制御を行う光スイッチ部と、各波長の光信号毎に設置した光可変減衰器と、前記光プリアンプがＡＬＣモードのときは、前記光スイッチ部でのスルー光を遮断するようにスイッチ設定して、不安定レベルの光信号が次段へ送信されることを停止し、前記光プリアンプがＡＧＣモードへ遷移したときには、前記スルー光の遮断を解除するスルー光遮断制御、または前記光プリアンプがＡＬＣモードのときは、対応する前記光可変減衰器の減衰量を最大値に設定して、不安定レベルの光信号が次段へ送信されることを停止し、前記光プリアンプがＡＧＣモードへ遷移したときには、前記減衰量の最大値設定を解除する減衰量制御、の少なくとも一方の制御を行う光信号制御部と、から構成されるノードと、
複数の前記ノード間を接続する光伝送媒体と、
を有することを特徴とする光伝送システム。
【００８１】
（付記８）　ＷＤＭの光伝送を行う光伝送システムにおいて、
光出力レベルを一定にするＡＬＣの機能と、ゲインを一定にするＡＧＣの機能とを有し、ＡＬＣモードでゲインを設定した後にＡＧＣモードへ遷移する光プリアンプと、ＡＧＣの機能を有する光ポストアンプと、光クロスコネクト制御を行う光スイッチ部と、前段ノードから立ち上げ完了情報が未受信の場合は、前記光スイッチ部でのスルー光を遮断するようにスイッチ設定して、不安定レベルの光信号が次段へ送信されることを停止し、前記光プリアンプがＡＧＣモードへ遷移し、かつ前段ノードから立ち上げ完了情報が受信された場合には、前記スルー光の遮断を解除するマスタ側スルー光遮断制御部と、前段ノードから立ち上げ完了情報を受信するまでは、擬似立ち上げ完了情報を次段ノードへ送信する擬似立ち上げ完了情報送信部と、から構成されるマスタノードと、
前記光プリアンプと、前記光ポストアンプと、前記光スイッチ部と、前記光プリアンプがＡＬＣモードのときは、前記光スイッチ部でのスルー光を遮断して、不安定レベルの光信号が次段へ送信されることを停止し、前記光プリアンプがＡＧＣモードへ遷移したときには、前記スルー光の遮断を解除するスレーブ側スルー光遮断制御部と、前記マスタノードからの前記擬似立ち上げ完了情報、または立ち上げ完了情報のいずれかを受信し、かつ自ノードの前記光プリアンプがＡＧＣモードに遷移した場合に、次段ノードへ自ノードに関する立ち上げ完了情報を送信する立ち上げ完了情報送信部と、から構成される複数のスレーブノードと、
前記マスタノードと前記スレーブノード、及び前記スレーブノード間を接続する光伝送媒体と、
を有することを特徴とする光伝送システム。
【００８２】
（付記９）　ネットワーク上でＷＤＭの光伝送を行うマスタノードにおいて、光出力レベルを一定にするＡＬＣの機能と、ゲインを一定にするＡＧＣの機能とを有し、ＡＬＣモードでゲインを設定した後にＡＧＣモードへ遷移する光プリアンプと、
ＡＧＣの機能を有する光ポストアンプと、
光クロスコネクト制御を行う光スイッチ部と、
前段ノードから立ち上げ完了情報が未受信の場合は、前記光スイッチ部でのスルー光を遮断するようにスイッチ設定して、不安定レベルの光信号が次段へ送信されることを停止し、前記光プリアンプがＡＧＣモードへ遷移し、かつ前段ノードから立ち上げ完了情報が受信された場合には、前記スルー光の遮断を解除するマスタ側スルー光遮断制御部と、
前段ノードから立ち上げ完了情報を受信するまでは、擬似立ち上げ完了情報を次段ノードへ送信する擬似立ち上げ完了情報送信部と、
を有することを特徴とするマスタノード。
【００８３】
（付記１０）　ネットワーク上でＷＤＭの光伝送を行うスレーブノードにおいて、
光出力レベルを一定にするＡＬＣの機能と、ゲインを一定にするＡＧＣの機能とを有し、ＡＬＣモードでゲインを設定した後にＡＧＣモードへ遷移する光プリアンプと、
ＡＧＣの機能を有する光ポストアンプと、
光クロスコネクト制御を行う光スイッチ部と、
前記光プリアンプがＡＬＣモードのときは、前記光スイッチ部でのスルー光を遮断して、不安定レベルの光信号が次段へ送信されることを停止し、前記光プリアンプがＡＧＣモードへ遷移したときには、前記スルー光の遮断を解除するスレーブ側スルー光遮断制御部と、
マスタノードからの擬似立ち上げ完了情報、または立ち上げ完了情報のいずれかを受信し、かつ自ノードの前記光プリアンプがＡＧＣモードに遷移した場合に、次段ノードへ自ノードに関する立ち上げ完了情報を送信する立ち上げ完了情報送信部と、
を有することを特徴とするスレーブノード。
【００８４】
（付記１１）　ＷＤＭ光伝送を行うノードに設けられた光アンプを立ち上げる際の光アンプ立ち上げ方法において、
光出力レベルを一定にするＡＬＣの機能と、ゲインを一定にするＡＧＣの機能とを有し、ＡＬＣモードでゲインを設定した後にＡＧＣモードへ遷移する光プリアンプに対し、
前記光プリアンプがＡＬＣモードのときは、光クロスコネクト制御を行う光スイッチ部でのスルー光を遮断するようにスイッチ設定して、不安定レベルの光信号が次段へ送信されることを停止し、
前記光プリアンプがＡＧＣモードへ遷移したときには、前記スルー光の遮断を解除することを特徴とする光アンプ立ち上げ方法。
【００８５】
（付記１２）　ＷＤＭ光伝送を行うノードに設けられた光アンプを立ち上げる際の光アンプ立ち上げ方法において、
光出力レベルを一定にするＡＬＣの機能と、ゲインを一定にするＡＧＣの機能とを有し、ＡＬＣモードでゲインを設定した後にＡＧＣモードへ遷移する光プリアンプに対し、
前記光プリアンプがＡＬＣモードのときは、対応する光可変減衰器の減衰量を最大値に設定して、不安定レベルの光信号が次段へ送信されることを停止し、
前記光プリアンプがＡＧＣモードへ遷移したときには、前記減衰量の最大値設定を解除することを特徴とする光アンプ立ち上げ方法。
【００８６】
（付記１３）　マスタノード及びスレーブノードを含むＷＤＭネットワークで、各ノードに設けられた光アンプを立ち上げる際の光アンプ立ち上げ方法において、
光出力レベルを一定にするＡＬＣの機能と、ゲインを一定にするＡＧＣの機能とを有し、ＡＬＣモードでゲインを設定した後にＡＧＣモードへ遷移する光プリアンプに対し、
前記マスタノードが前段スレーブノードから立ち上げ完了情報が未受信の場合は、前記光スイッチ部でのスルー光を遮断するようにスイッチ設定して、不安定レベルの光信号が次段へ送信されることを停止し、
前記マスタノードの前記光プリアンプがＡＧＣモードへ遷移し、かつ前段スレーブノードから立ち上げ完了情報が受信された場合には、前記スルー光の遮断を解除し、
前記マスタノードが前段スレーブノードから立ち上げ完了情報を受信するまでは、擬似立ち上げ完了情報を次段ノードへ送信し、
前記スレーブノードの前記光プリアンプがＡＬＣモードのときは、前記光スイッチ部でのスルー光を遮断するようにスイッチ設定して、不安定レベルの光信号が次段へ送信されることを停止し、
前記スレーブノードの前記光プリアンプがＡＧＣモードへ遷移したときには、前記スルー光の遮断を解除し、
前記スレーブノードが前記マスタノードからの前記擬似立ち上げ完了情報、または立ち上げ完了情報のいずれかを受信し、かつ自ノードの前記光プリアンプがＡＧＣモードに遷移した場合には、次段ノードへ立ち上げ完了情報を送信することを特徴とする光アンプ立ち上げ方法。
【００８７】
【発明の効果】
以上説明したように、本発明の光伝送システムは、光プリアンプがＡＬＣモードのときは、光スイッチ部でのスルー光を遮断して、不安定レベルの光信号が次段へ送信されることを停止し、光プリアンプがＡＧＣモードへ遷移したときには、スルー光の遮断を解除する構成とした。これにより、ＷＤＭの初期設定時に、不安定レベルの光信号が各ノードで伝送されることを防止することができるので、システムの運用効率の低下を防ぐことができ、伝送品質の向上を図ることが可能になる。
【図面の簡単な説明】
【図１】本発明の光伝送システムの原理図である。
【図２】本発明の光伝送システムの原理図である。
【図３】本発明の光伝送システムの構成を示す図である。
【図４】ノードの構成を示す図である。
【図５】光スイッチ部のスイッチ状態を示す図である。
【図６】スルー光遮断制御の動作を示すフローチャートである。
【図７】スルー光遮断制御時のリングネットワークにおける光の流れを示す図である。
【図８】減衰量制御の動作を示すフローチャートである。
【図９】減衰量制御時のリングネットワークにおける光の流れを示す図である。
【図１０】光伝送システムの動作を説明するための図である。
【図１１】不安定レベルの光信号が循環する様子を説明するための図である。
【符号の説明】
１ａ　光伝送システム
１０ａ−１〜１０ａ−４　ノード
１１　光プリアンプ
１２　光ポストアンプ
１３　光スイッチ部
１４ａ　スルー光遮断制御部
Ｆ　光伝送媒体
【図１】
2004040437.tif 000003
【図２】
2004040437.tif 000004
【図３】
2004040437.tif 000005
【図４】
2004040437.tif 000006
【図５】
2004040437.tif 000007
【図６】
2004040437.tif 000008
【図７】
2004040437.tif 000009
【図８】
2004040437.tif 000010
【図９】
2004040437.tif 000011
【図１０】
2004040437.tif 000012
【図１１】
2004040437.tif 000013